(57)【要約】【課題】重さ６ｇ以下で目の直射日光を避けるための用具を提供する。【解決手段】合成樹脂の柔軟性のある鉢巻帯部材１とゴムひもの調整機部２が鉢巻帯部材１の両端１ａ、１ａ′で繋ながれて頭鉢巻帯部９を構成し、鉢巻帯部材１の両端近辺１ｂ、１ｂ′に張出部材３の両端部を差し込んで接続状態を作り、張出部材３はアーチ状の形態とし、その張出部材３に日避部材５を係止部材４で接続し、全ての部材は着脱可能の構成とした。【選択図】図１
2009102786.tif 000002
【特許請求の範囲】
【請求項１】
日光が目を直射せぬよう合成紙の日避部材を、間隔をもって顔面に沿って垂直に設置し、前方の視野は、日避部材の下からを特徴とする頭部を巻く目を保護する日避用具。
【請求項２】
頭部を巻く頭鉢巻帯部の半分の長さは、合成樹脂の柔軟性がある透孔を有する鉢巻帯部材と、あとの半分は鉢巻帯部材の両端を結ぶ調整機部のゴム紐で構成し、鉢巻帯部材の両端の所定の位置に鉢巻帯部材と同材の、より長い張出部材の両端を、各々透孔の外側から内側に差し込み、更に隣接する透孔の外側に差し込んで接続し、張出部材は鉢巻帯部材の上を平行に、アーチ状の形態となるが所定の位置を前後に移動することにより、アーチ状を高くしたり低く出来る。
【請求項３】
張出部材の所定の位置に、裁断された日避部材を、その部材上に円孔を作り円孔を通して鉢巻帯部材と同材のＨ形の係止部材で接続して、請求項２、３の構成により、頭鉢巻帯部が張出部材により日避部材を間接的に接続することを特徴とする目を保護する日避用具。
【発明の詳細な説明】
【技術分野】
【０００１】  頭に重さを感じさせない６ｇ以下の用具で、眼鏡使用の有無に関係なく、目に対する直射日光を遮断するための用具に関するものである。
【背景技術】
【０００２】  目の直射日光を弱化させるためのサングラスがある。【０００３】  眼鏡を必要としない人には、使い馴れないサングラスは視野の色変わり、重さを嫌う人が存在する。【０００４】  眼鏡を使用する人がサングラスを必要とした場合、サングラス等の色付き眼鏡は経費が高い。【０００５】  日避部付帽子は、前面の日避部が短かい場合は日光が目に当たる場合がある。長い場合は目に当たる日光を防ぐが強風で帽子が飛ばされる欠点を有する。【０００６】  頭鉢巻帯部材と日避部材の接合は、通常、製縫、溶着、ネジによる固定着等の専門作業を要する。【０００７】  世界中の眼鏡と帽子は多種多様で列挙することは不可能である。
しかし目を直射日光から保護するため、簡素な構造で、世界最軽、多機能を誇る製品は見当たらぬ。
【発明の開示】
【発明が解決しようとする課題】
【０００８】  眼鏡を使用しない人の中には、目に対する直射日光を避けるためのサングラス使用は、色の違う視野の違和感、サングラスの重さを嫌がる人が存在する。この欠点を改善する事が出来る。【０００９】  通常の眼鏡使用者の中には、色の違う視野を嫌う人がいる。サングラスタイプを兼ねた眼鏡は価格が高くなる。この欠点を改善することが出来る。【００１０】  目に対する直射日光を避けるため、日避部を長くした帽子がある。長くすることは強弱の風を受け、帽子が風に飛ばされる原因となる。この欠点を無くすことが出来る。【００１１】  人は眼鏡、帽子使用の有無にかかわらず、目に対する直射日光を避ける目的が同じならば、より軽く、手軽で安価、落としても丈夫で携帯便利な製品を要求している。この要望に、より近い製品を提供することが出来る。
【課題を解決するための手段】
【００１２】  本発明は目に対する直射日光を避け、全量６ｇ以下の最少の材料で軽く、丈夫、分解、組合せが出来、携帯便利な理想を達成した用具を提供することである。【００１３】  本発明の用具の骨格体の材質は、梯子状の合成樹脂で自己復元性を有し、軽量化のため梯子の方形は透孔が設けられているのが特徴である。【００１４】  本発明の頭鉢巻帯部は、各々半分の長さの鉢巻帯部材とゴム紐を結んで頭回りを調整する。その鉢巻帯部材に張出部材を組合せて骨格体を形成する。張出部材に合成紙の日避部材を顔面に沿って垂直にＨ形の係止部材で接続する。【００１５】  本発明で使用する鉢巻帯部材、張り出し帯部材、係止部材の長さは、梯子状の透孔のある合成樹脂を目的に合わせて切断して作成する。【００１６】  本発明で使用する日避部材は、目的に合わせて裁断された耐水性のある合成紙で、等間隔の３個の円孔を有し、Ｈ形の係止部材で円孔を通し、更に張出部材の透孔を通して日避部材と張り出し部材を接続する。
【発明の効果】
【００１７】  本発明の使用は目に対する直射日光を避けて、自然な状態の視野を求める人のための用具である。【００１８】  本発明はサングラスを使用中、太陽がサングラスを透して目に当たる日光を嫌う人のための用具である。【００１９】  本発明は眼鏡の重さ、汗ばむ帽子を嫌う人に、直射日光を避け、６ｇで重さを感じぬ用具を提供している。【００２０】  張出部材に日避部材を顔面に沿って垂直に取り付けたことにより、顔面との上部と下部の距離は同程度となり、風の通り抜けは上下、下上と支障なく流れ、日避部が風に持上げられ用具全体が風に飛ばされることを防いでいる。【００２１】  用具の各部が全て脱着可能な簡易な構造となり、用具の組立ては手作業となり、従来の固定手段の溶着、ネジによる固定着、製縫等の専門作業が無く、単純作業で安全性が優れている。【００２２】  頭に触れる鉢巻帯部材とゴム紐は、糸状の形態であるため頭に触れる面積はゼロに近い。【００２３】  各部の分解、組立てが可能、携帯便利で重さを感じぬ６ｇ以下の用具。
【発明を実施するための形態】
以下、本発明の用具の好適な実施の形態を添付図面を参照しながら説明する。
【００２４】  図１乃至図４は本発明Ｂの構成を示す図で、柔軟性と透孔を有する合成樹脂の鉢巻帯部材１、透孔２６個とゴム紐の調整機部２、長さ７０ｃｍを２本状にして鉢巻帯部材１の両端部１ａ、１ａ′で繋がれて頭回りを調整する機能を持って頭鉢巻帯部Ａを構成する。
鉢巻帯部材の透孔２６個は必要に応じて増減する。
【００２５】  頭鉢巻帯部Ａの鉢巻帯部材１の両端近くに事前に印、１ｂ、１ｂ′をつけ張出部材３、透孔３３個を図４のように差し込んで接続状態を作り、張出部材３はアーチ状の形態となる。１ｂ、１ｂ′、の印の前後に接続中の張出部材を移動接続すれば、アーチ状を高くしたり低く出来る。
【００２６】  防水性の日避部材５は図３の通り、タテ７ｃｍ、ヨコ２５ｃｍに裁断し、等間隔に３個の直径６ｍｍの円孔、５ａ、５ｂ、５ｃを設け、張出部材３の透孔に事前に、３ａ、３ｂ、３ｃの印をつけ、Ｈ形の係止部材４、長さ３ｃｍで５ａと３ａ、５ｂと３ｂ、５ｃと３ｃを重ねて接続する。
アーチ状の張出部材３に接続された日避部材５は顔面に沿って垂直な状態となる。
日避部材５のタテ、ヨコサイズは必要に応じて変更する。
【００２７】  用具Ｂの重さは、鉢巻帯部材１の１本、張出部材３の１本、係止部材４の３個で約３ｇ、調整機部２のゴム紐は約１ｇ、日避部材５は約１ｇで、集計約５ｇとなり多少の誤差発生を考慮して、６ｇ以下の頭に重さを感じさせぬ用具である。
【００２８】  頭鉢巻帯部Ａは図１、図２で示すように頭に触れるのは線状材であるため限りなくゼロに近い面積である。
【図面の簡単な説明】
【００２９】
【図１】  本発明の目に対する日避用具の実施を示す斜視図
【図２】  日避用具の上面図
【図３】  日避部材の展開図
【図４】  鉢巻帯部材と張出部材の接続を示す斜視図
【符号の説明】
【００３０】  １    鉢巻帯部材１
１ａ、１ａ′  鉢巻帯部材端部
１ｂ、１ｂ′  鉢巻帯部材の張出部材取付場所
２    調整機部
３    張出部材
３ａ、３ｂ、３ｃ  張出部材の日避部材取付場所
４    係止部材
５    日避部材
５ａ、５ｂ、５ｃ  日避部円孔
６    透孔
Ａ    頭鉢巻帯部
Ｂ    日避用具本体
【図１】
2009102786.tif 000003
【図２】
2009102786.tif 000004
【図３】
2009102786.tif 000005
【図４】
2009102786.tif 000006